(57)【要約】【課題】  空気の膨張による不具合（悪影響）を回避しつつ、無調整であっても精度良く組み付けができる、カメラモジュールを提供すること。【解決手段】  カメラモジュール（１０）は、ホルダ（１８）と、ホルダに内包されるレンズ（１６）と、撮像面（１４ａ）を含む撮像素子（１４）と、赤外線カットフィルタ（２０）と、撮像素子を上面（１２ａ）に搭載する基板（１２）とを備える。ホルダ（１８）の下端が基板（１２）の上面（１２ａ）上に接着固定されている。前記カメラモジュール（１０）は、通気性を確保する手段として、第１の脱気溝（１８４ｂ）と、通気路（２２）と、第２の脱気溝（１８６ｃ）と、を持つ。通気路（２２）と第２の脱気溝（１８６ｃ）とは連通しており、通気路（２２）と第１の脱気溝（１８４ｂ）とは、レンズ（１６）の光軸（Ｏ）に関して互いにずれた角度位置に形成されている。【選択図】    図６
2012083556.tif 000002
【特許請求の範囲】
【請求項１】
ホルダと、該ホルダに内包されるレンズと、撮像面を含む撮像素子と、前記レンズと前記撮像素子との間に配置されて、前記ホルダの内壁に取り付けられた赤外線カットフィルタと、前記撮像素子を上面に搭載する基板と、を備え、前記ホルダの下端が前記基板の上面上に接着固定されている、カメラモジュールにおいて、
前記レンズは、実質的に円柱状をしており、外周面を持ち、
前記レンズは、中央に位置するレンズ部と、該レンズ部の半径方向外側に位置するレンズ受け面とを有し、
前記ホルダは、前記レンズのレンズ受け面に係合するレンズ突き当て面と、前記撮像素子に当接する複数本の脚部とを有し、
前記カメラモジュールは、通気性を確保する手段として、
前記ホルダと前記赤外線カットフィルタとの接触面間で、前記ホルダに形成された第１の脱気溝と、
前記ホルダの円筒内面と前記レンズの外周面との間に形成された通気路と、
前記レンズのレンズ受け面と前記ホルダのレンズ突き当て面との間の接触面で、前記ホルダに形成された第２の脱気溝と、を持ち、
前記通気路と前記第２の脱気溝とは連通しており、
前記通気路と前記第１の脱気溝とは、前記レンズの光軸に関して互いにずれた角度位置に形成されていることを特徴とするカメラモジュール。
【請求項２】
前記通気路と前記第１の脱気溝とは、前記レンズの光軸に関して互いに実質的に１８０度ずれた角度位置に形成されている、ことを特徴とする請求項１に記載のカメラモジュール。
【請求項３】
撮像素子は、前記撮像面の周囲に配置された周囲面を持ち、
前記ホルダの前記複数本の脚部の先端が、前記撮像素子の周囲面に当接している、ことを特徴とする請求項１又は２に記載のカメラモジュール。
【請求項４】
前記ホルダは、角筒状の下部と、前記円筒内面を持つ円筒状の上部とを備え、
前記ホルダの前記上部の円筒内面に、前記レンズの外周面が実質的に係合し、これによって、前記レンズは、光軸と直交する方向に位置決めされることを特徴とする請求項１乃至３のいずれか１つに記載のカメラモジュール。
【請求項５】
前記赤外線カットフィルタは、前記ホルダの前記上部の下側内壁面に取り付けられており、
前記第１の脱気溝が、前記ホルダの前記上部の下側内壁面に形成されている、請求項４に記載のカメラモジュール。
【請求項６】
前記通気路が、前記レンズのＤカット部と前記ホルダの前記上部の円筒内面との間に形成されている、請求項４又は５に記載のカメラモジュール。
【請求項７】
前記ホルダは、前記上部の上端に、前記レンズ突き当て面を上側内壁面として持つ遮光部を備え、
前記第２の脱気溝が、前記遮光部の上側内壁面に形成されている、
請求項４乃至６のいずれか１つに記載のカメラモジュール。
【発明の詳細な説明】
【技術分野】
【０００１】
本発明はカメラモジュールに関し、特に、携帯電話機等の電子機器に搭載される小型カメラモジュールに関する。
【背景技術】
【０００２】
カメラ付携帯電話機には携帯型小型カメラモジュールが搭載されている。カメラモジュールは、撮影光学系（レンズ）と、光電変換部（撮像面）を含む撮像素子とを備えている。このようなカメラモジュールにおいては、撮影光学系（レンズ）の合焦位置（焦点距離）に撮像素子の光電変換部（撮像面）を精度良く組み付ける必要がある。
【０００３】
そのため、撮影光学系の合焦位置（焦点距離）に、撮像素子の光電変換部（撮像面）を精度良く組み付けるために、従来から種々のカメラモジュールが提案されている。
【０００４】
例えば、特許第４１５７０８４号公報（特許文献１）は、レンズ筒に形成された雄ネジをレンズシートの雌ネジに螺合するように構成した「イメージセンサモジュール」を開示している。すなわち、特許文献１に開示されたイメージセンサモジュールでは、レンズの最適焦点距離を調整するために、レンズを遮光する部品であるレンズ筒と、それを保持する部品であるレンズシートとにネジ構造を設けている。
【０００５】
また、特許第４２２３８５１号公報（特許文献２）は、レンズユニットと、固体撮像素子ユニットとを組み合わせて一体化された構成の「小型カメラモジュール」を開示している。レンズユニットは、レンズが固定してある筒状のレンズホルダと、筒状のハウジングとよりなる。レンズホルダがハウジングの内側に、ねじ同士でかみ合っている構成である。レンズホルダを回動させると、レンズホルダが光軸方向に変位して、フォーカス調整がなされる。
【０００６】
その結果、特許文献１に開示されたイメージセンサモジュールや特許文献２に開示された小型カメラモジュールでは、ネジ構造を持った２つの部品（レンズ筒（レンズホルダ）とレンズシート（ハウジング））によるネジ嵌合で、レンズの最適な焦点距離を調整する必要があった。また、ネジ構造追加による工数アップに伴い、部品単価、設備単価が高くなってしまう。さらに、調整による工数アップと部品点数の増加によりコストが高くなってしまう。
【０００７】
したがって、ネジ構造を無くし、部品点数を減らすことで、コストダウンと構造の簡素化を図ることが望まれている。また、無調整化による工数削減と組み立て性を向上させることも望まれている。
【０００８】
このような問題点を解決した先行技術文献も種々提案されている。
【０００９】
例えば、特許第４０３２２９１号公報（特許文献３）は、安価でありながら、部品点数を削減でき、小型化が図れ、かつ無調整であっても精度良く組み付けでき、さらには防塵、防湿を有し、また高画質な画像を得ることができる信頼性の高い「撮像装置」を開示している。この特許文献３に開示された撮像装置は、鏡枠に内包される撮像レンズと、撮像素子とを有する。撮像レンズは、レンズ部と、このレンズ部の光軸方向に沿って筒状に延在する脚部とを備える。撮像素子は、光電変換部と、その周囲に配置された周囲面とを、レンズ部に対向する面に形成している。撮像レンズは、鏡枠に嵌合することにより光軸に直交する方向に位置決めされる。遮光板と撮像レンズの段部との間に、ゴムなどからなる弾性部材を配置して、その弾性力により、撮像レンズを下方に向かって押圧している。
【００１０】
また、特許第３９１５５１３号公報（特許文献４）は、安価でありながら、部品点数を削減でき、小型化が図れ、長期にわたってレンズのがたつきや外力による損傷を抑制でき、また更に、無調整であっても精度良く組み付けでき、さらには防塵、防湿の構造を有し、また信頼性の高い「撮像装置」を開示している。この特許文献４に開示された撮像装置は、光電変換部を備えた撮像素子と、この撮像素子が取り付けられた基板と、弾性手段と、基板に固定され光学部材を支持する鏡枠とを有する。光学部材は、光電変換部に被写体像を結像させるレンズ部と、このレンズ部を指示する脚部と、撮像素子に当接する当接面とを備える。弾性手段の弾性力により光学部材を光軸方向に押圧している。これによって、光学部材は撮像素子に向かって付勢された状態で、当接面が撮像素子のレンズ部に向いた面にのみ当接するようになる。
【００１１】
さらに、特許第４３６２７３７号公報（特許文献５）は、レンズと、撮像素子と、ホルダと、基板とを含んで構成された「カメラモジュール」を開示している。撮像素子は基板に搭載される。ホルダは、撮像素子が収容されたパッケージを覆うように設けられている。ホルダは基板に接着剤により取着されている。ホルダは、基板に取着されパッケージを囲む下部大径部と、この下部大径部に続く上部小径部とを有する。上部小径部の先部には開口が形成されている。レンズは上部小径部に取着されている。レンズは、第１レンズ、第２レンズ、第３レンズの３枚が用いられている。第１レンズは中央に位置するレンズ部と、このレンズ部の半径方向外側に位置する取り付け部とを有する。ホルダの上部小径部には、開口の周囲に撮像素子に臨む環状の係合面が形成され、この環状の係合面に続く円筒面状の係合面が形成されている。上部小径部の環状の係合面に、第１レンズの取り付け部の面が係合され、上部小径部の円筒面状の係合面に、第１レンズの外周面が係合されることで、上部小径部に対するレンズの位置決めがなされる。
【００１２】
ところで、このようなカメラモジュールは、撮像素子の撮像面（光電変換部）に粉塵が付着しないようにする対策と、カメラモジュールの組立工程内で発生する不具合や、客先での回路基板ボード上へのカメラモジュール実装時に発生する不具合の対策が必要である。
【００１３】
最初に、カメラモジュールの組立工程内で発生する不具合について説明する。撮像素子を実装した基板に、樹脂を塗布し、ホルダをマウントしパッケージング（封止）する。この時、樹脂を硬化させる為に、カメラモジュールをオーブンに投入し樹脂を硬化させている。この高温環境下で、パッケージ内部の空気が熱で膨張し、ホルダを押し上げたり、未硬化の樹脂を内部から押し退けて、樹脂塗布部に穴が開いたり等の不具合が発生する。
【００１４】
次に、回路基板ボード上へのカメラモジュール実装時に発生する不具合について説明する。カメラモジュールを回路基板ボード（セット側基板）に直接ハンダ実装するために、リフロー炉を通す。この際、内部の空気が膨張し、ホルダを押し上げる力が封止樹脂の強度を上回って樹脂を破壊するか、或いは、封止樹脂が軟化し弱くなったところが破裂する等の不具合が懸念される。尚、この不具合は、リフロー炉を通すときばかりでなく、組立工程にて使用しているオーブンの温度条件よりも更に高い高温環境下でも起こり得る。
【００１５】
そこで、上記特許文献２に開示された小型カメラモジュールでは、熱によって密閉空間内の空気が膨張することによる悪影響（不具合）を回避するため、固体撮像素子ユニットに通気孔を形成し、レンズユニットに通気路を形成し、レンズユニットと固体撮像素子ユニットとを組み合わせて一体化された状態で、通気孔と通気路とが連通するように構成している。通気路にエアフィルタを有する。
【先行技術文献】
【特許文献】
【００１６】
【特許文献１】特許第４１５７０８４号公報
【特許文献２】特許第４２２３８５１号公報
【特許文献３】特許第４０３２２９１号公報
【特許文献４】特許第３９１５５１３号公報
【特許文献５】特許第４３６２７３７号公報
【発明の概要】
【発明が解決しようとする課題】
【００１７】
上述した特許文献３〜５に記載されたカメラモジュールには、それぞれ、以下に述べるような問題点がある。
【００１８】
特許文献３に開示された撮像装置では、撮像レンズが、レンズ部と、このレンズ部の光軸方向に沿って筒状に延在する脚部とから構成されるので、撮像レンズが非常に複雑な形状（構造）をしている。その結果、撮像レンズを製造することが困難であるという問題がある。また、撮像レンズが複雑な形状（構造）をしているので、撮像レンズはプラスチック製のものに限定され、ガラス製のものには適用できない。さらに、撮像レンズの脚部の先端を撮像素子の所定の面（当接面）へ当接せるための弾性部材も必要となり、部品点数が増加するという問題もある。
【００１９】
特許文献４に開示された撮像装置でも、光学部材がレンズ部を支持する脚部を備えているので、光学部材が非常に複雑な形状（構造）をしている。その結果、光学部材を製造することが困難であるという問題がある。また、光学部材が複雑な形状（構造）をしているので、光学部材はプラスチック製のものに限定され、ガラス製のものには適用できない。さらに、光学部材の脚部の先端を撮像素子の当接面へ当接せるための弾性手段も必要となり、部品点数が増加するという問題もある。
【００２０】
特許文献５に開示されたカメラモジュールでは、レンズがホルダ内に位置決めされ、ホルダが撮像素子を搭載する基板に接着剤により取着されている。その為、レンズの最適焦点距離（焦点位置）に撮像素子の撮像面が合うように、基板とホルダとの位置関係を調整する必要がある。また、撮像素子を搭載している基板が反ったり、捩れたりすると、レンズの最適焦点距離（焦点位置）から撮像素子の撮像面がズレてしまうという問題もある。
【００２１】
さらに、特許文献３〜５に記載されたカメラモジュールはいずれも、空気の膨張による不具合（悪影響）についての認識がなく、その不具合（悪影響）を回避するための対策が何ら施されてない。
【００２２】
一方、特許文献２に開示されたカメラモジュールでは、空気の膨張による不具合（悪影響）を回避するための対策が施されている。詳述すると、特許文献２に開示されたカメラモジュールは、固体撮像素子ユニットの通気孔とレンズユニットの通気路とが連通するように構成している。すなわち、通気孔と通気路とが光軸に対して同一の側（角度位置）に配置されることになる。その為、粉塵の付着を防止するために、通気路にエアフィルタを設ける必要がある。その結果、部品点数が増加してしまう。
【００２３】
したがって、本発明の課題は、空気の膨張による不具合（悪影響）を回避しつつ、無調整であっても精度良く組み付けができる、カメラモジュールを提供することにある。
【００２４】
本発明の他の課題は、部品点数を削減でき、小型化が図れる、カメラモジュールを提供することにある。
【００２５】
本発明のもっと他の課題は、コストダウンと構造の簡素化が図れる、カメラモジュールを提供することにある。
【００２６】
本発明の更に他の課題は、組立て工数を削減でき、組み立て性を向上できる、カメラモジュールを提供することにある。
【００２７】
本発明の他の目的は、説明が進むにつれて明らかになるだろう。
【課題を解決するための手段】
【００２８】
本発明の態様によるカメラモジュール（１０）は、ホルダ（１８）と、該ホルダに内包されるレンズ（１６）と、撮像面（１４ａ）を含む撮像素子（１４）と、前記ホルダの内壁に取り付けられた赤外線カットフィルタ（２０）と、撮像素子を上面（１２ａ）に搭載する基板（１２）とを備える。前記ホルダ（１８）の下端が前記基板（１２）の上面（１２ａ）上に接着固定されている。前記レンズ（１６）は、実質的に円柱状をしており、外周面（１６ｃ）を持ち、前記レンズ（１６）は、中央に位置するレンズ部（１６ａ）と、該レンズ部の半径方向外側に位置するレンズ受け面（１６ｂ）とを有する。本発明によれば、前記ホルダ（１８）は、前記レンズ（１６）のレンズ受け面（１６ｂ）に係合するレンズ突き当て面（１８６ｂ）と、前記撮像素子（１４）に当接する複数本の脚部（１８８）とを有する。そして、前記カメラモジュール（１０）は、通気性を確保する手段として、前記ホルダ（１８）と前記赤外線カットフィルタ（２０）との接触面間で、前記ホルダ（１８）に形成された第１の脱気溝（１８４ｂ）と、前記ホルダ（１８）の円筒内面（１８４ａ）と前記レンズ（１６）の外周面（１６ｃ）との間に形成された通気路（２２）と、前記レンズ（１６）のレンズ受け面（１６ｂ）と前記ホルダ（１８）のレンズ突き当て面（１８６ｂ）との間の接触面で、前記ホルダ（１８）に形成された第２の脱気溝（１８６ｃ）と、を持つ。前記通気路（２２）と前記第２の脱気溝（１８６ｃ）とは連通しており、前記通気路（２２）と前記第１の脱気溝（１８４ｂ）とは、前記レンズ（１６）の光軸（Ｏ）に関して互いにずれた角度位置に形成されている。
【００２９】
上記本発明のカメラモジュール（１０）において、前記通気路（２２）と前記第１の脱気溝（１８４ｂ）とは、前記レンズ（１６）の光軸（Ｏ）に関して互いに実質的に１８０度ずれた角度位置に形成されている、ことが好ましい。撮像素子（１４）は、前記撮像面（１４ａ）の周囲に配置された周囲面（１４ｂ）を持ってよい。この場合、前記ホルダ（１８）の前記複数本の脚部（１８８）の先端（１８８ａ）が、前記撮像素子（１４）の周囲面（１４ｂ）に当接している。前記ホルダ（１８）は、角筒状の下部（１８２）と、前記円筒内面（１８４ａ）を持つ円筒状の上部（１８４）とを備えてよい。この場合、前記ホルダ（１８）の前記上部（１８４）の円筒内面（１８４ａ）に、前記レンズ（１６）の外周面（１６ｃ）が実質的に係合し、これによって、前記レンズ（１６）は、光軸（Ｏ）と直交する方向に位置決めされる。前記赤外線カットフィルタ（２０）は、前記ホルダ（１８）の前記上部（１８４）の下側内壁面に取り付けられてよい。この場合、前記第１の脱気溝（１８４ｂ）が、前記ホルダ（１８）の前記上部（１８４）の下側内壁面に形成される。前記通気路（２２）が、前記レンズ（１６）のＤカット部（１６２）と前記ホルダ（１８）の前記上部（１８４）の円筒内面（１８４ａ）との間に形成されてよい。前記ホルダ（１８）は、前記上部（１８４）の上端に、前記レンズ突き当て面を上側内壁面（１８６ｂ）として持つ遮光部（１８６）を備えてよい。この場合、前記第２の脱気溝（１８６ｃ）は、前記遮光部（１８６）の上側内壁面（１８６ｂ）に形成される。
【００３０】
尚、上記括弧内の参照符号は、理解を容易にするために付したものであり、一例に過ぎず、これらに限定されないのは勿論である。
【発明の効果】
【００３１】
本発明では、通気性を確保する手段として、ホルダと赤外線カットフィルタとの接触面間で、ホルダに形成された第１の脱気溝と、ホルダの円筒内面とレンズの外周面との間に形成された通気路と、レンズのレンズ受け面とホルダのレンズ突き当て面との間の接触面で、ホルダに形成された第２の脱気溝と、を持ち、通気路と第２の脱気溝とは連通しており、通気路と第１の脱気溝とを、レンズの光軸に関して互いにずれた角度位置に形成したので、空気の膨張による不具合（悪影響）を回避しつつ、無調整であっても精度良く組み付けができる。
【図面の簡単な説明】
【００３２】
【図１】本発明の一実施の形態に係るカメラモジュールの外観斜視図である。
【図２】図１に示したカメラモジュールの分解斜視図である。
【図３】図１の線III-IIIについての縦断面図である。
【図４】図１の線IV-IVについての縦断面図である。
【図５】図１の線V-Vについての斜視横断面図である。
【図６】図１の線VI-VIについての縦断面図である。
【図７】図１に示したカメラモジュールにおいて、ホルダに赤外線カットフィルタを組み付けた状態を底面側から観た斜視図である。
【図８】図１に示したカメラモジュールにおいて、ホルダにレンズを圧入した状態を底面側から観た斜視図である。
【図９】図１に示したカメラモジュールにおいて、ホルダにレンズを圧入した状態を底面側から観た斜視図である。
【図１０】図１に示したカメラモジュールにおいて、ホルダを底面側から観た斜視図である。
【図１１】図６の遮光部（１８６）付近を拡大して示す拡大断面図である。
【発明を実施するための形態】
【００３３】
以下、図面を参照して、本発明の実施の形態について説明する。
【００３４】
図１乃至図６を参照して、本発明の一実施の形態によるカメラモジュール１０について説明する。図１はカメラモジュール１０の外観斜視図であり、図２はカメラモジュール１０の分解斜視図である。図３は図１の線III-IIIについての縦断面図であり、図４は図１の線IV-IVについての縦断面図であり、図５は図１の線V-Vについての斜視横断面図であり、図６は図１の線VI-VIについての縦断面図である。
【００３５】
ここでは、図１乃至図６に示されるように、直交座標系（Ｘ，Ｙ，Ｚ）を使用している。図１乃至図６に図示した状態では、直交座標系（Ｘ，Ｙ，Ｚ）において、Ｘ軸方向は前後方向（奥行方向）であり、Ｙ軸方向は左右方向（幅方向）であり、Ｚ軸方向は上下方向（高さ方向）である。そして、図１乃至図６に示す例においては、上下方向Ｚがレンズの光軸Ｏ方向である。
【００３６】
但し、実際の使用状況においては、光軸Ｏ方向、すなわち、Ｚ軸方向が前後方向となる。換言すれば、Ｚ軸の上方向が前方向となり、Ｚ軸の下方向が後方向となる。
【００３７】
図示のカメラモジュール１０は、カメラ付き携帯電話機に備えられる。カメラモジュール１０は、Ｚ軸方向（光軸Ｏ方向）の下側（後側）に配置された基板１２を有する。この基板１２の上面１２ａには、撮像素子１４が搭載される。換言すれば、矩形薄板状の撮像素子１４の下面は、基板１２の上面１２ａに取り付けられている。この撮像素子１４は、レンズ１６（後述する）により結像された被写体像を撮像して電気信号に変換する。撮像素子１４は、例えば、ＣＣＤ（charge coupled device）型イメージセンサ、ＣＭＯＳ（complementary metal oxide semiconductor）型イメージセンサ等により構成される。
【００３８】
撮像素子１４の上面中央には、画素が２次元的に配列された光電変換部（撮像面）１４ａが形成されており、その周囲には、周囲面１４ｂが形成されている。撮像素子１４は、複数本のワイヤ１４ｃを介して基板１４に接続されている。撮像素子１４と基板１２との組み合わせは、撮像ユニットと呼ばれる。
【００３９】
レンズ１６は、中央に位置するレンズ部１６ａと、このレンズ部１６ａの半径方向外側に位置するレンズ受け面１６ｂとを有する。図２に示されるように、レンズ１６は、実質的に円柱状をしており、外周面１６ｃを持つ。また、レンズ１６は、その外周面１６ｃに、光軸Ｏに対して前後方向Ｘの前方に形成されたＤカット部１６２を有する。
【００４０】
レンズ１６の外側には、遮光性のある素材からなるホルダ１８が配置されている。換言すれば、レンズ１６はホルダ１８に内包されている。ホルダ１８は、角筒状の下部１８２と、円筒状の上部１８４とを備える。上部１８４は、円筒内面１８４ａを持つ。ホルダ１８は、上部１８４の上端に設けられた遮光部１８６をさらに有する。遮光部１８６は、その中央に開口１８６ａが形成されている。遮光部１８６の上側内壁面１８６ｂは、レンズ１６を取り付けるためのレンズ突き当て面として使用される。レンズ１６を光軸Ｏに沿ってホルダ１８に圧入することで、レンズ１６のレンズ受け面１６ｂは、ホルダ１８のレンズ突き当て面１８６ｂに係合する。すなわち、レンズ突き当て面１８６ｂは、レンズ１６の光軸Ｏ方向の位置決めを行う。
【００４１】
一方、ホルダ１８の上部１８４の円筒内面１８４ａに、レンズ１６の外周面１６ｃが実質的に係合している。これによって、レンズ１６は、光軸Ｏと直交する方向に位置決めされる。なお、図示はしないが、ホルダ１８の上部１８４の円筒内面１８４ａとレンズ１６の外周面１６ｃとの間にはクリアランスがある。このクリアランスにＵＶ樹脂からなる接着剤（図示せず）を注入することによって、ホルダ１８内にレンズ１６が固着される。
【００４２】
尚、ホルダ１８の下部１８２の下端は、基板１２の上面１２ａ上で、図示しない樹脂によって接着固定される。
【００４３】
図４および図５に示されるように、ホルダ１８は、撮像素子１４に当接する４本の脚部１８８を有する。図５に示されるように、ホルダ１８の４本の脚部１８８の先端１８８ａは、撮像素子１４の周囲面１４ｂに当接している。
【００４４】
カメラモジュール１０は、撮像素子１４とレンズ１６との間に配置された赤外線カットフィルタ２０を更に備えている。この赤外線カットフィルタ２０は、矩形薄板形状をしており、ホルダ１８の上部１８４の下側内壁面に取り付けられる（貼り付けられる）。
【００４５】
上述したように、本実施の形態では、ホルダ１８は、撮像素子１４に当接する４本の脚部１８８を有するので、ホルダ１８のマウントによるパッケージングと同時に、レンズ１６の焦点距離を最適位置に確保することができる。すなわち、カメラモジュール１０は、ホルダ１８のレンズ取付け面１８６ｂと撮像素子１４の撮像面１４ａ（脚部１８８の先端１８８ａ）との間の光軸Ｏ方向の距離（以下、「ホルダ距離」と略称する）とレンズ１６の光学長による、２部品の寸法精度と組み立て精度のみで、レンズ１６の焦点距離の精度を出す構造をしている。
【００４６】
次に、図６に加えて図７乃至図１１をも参照して、本実施の形態による、カメラモジュール１０に設けられた、通気性を確保する手段について説明する。図７は、カメラモジュール１０において、ホルダ１８に赤外線カットフィルタ２０を組み付けた状態を底面側から観た斜視図である。図８は、カメラモジュール１０において、ホルダ１８にレンズ１６を圧入した状態を底面側から観た斜視図である。図９は、カメラモジュール１０において、ホルダ１８にレンズ１６を圧入した状態を底面側から観た斜視図である。図１０は、カメラモジュール１０において、ホルダ１８を底面側から観た斜視図である。図１１は、図６の遮光部１８６付近を拡大して示す拡大断面図である。
【００４７】
通気性を確保する手段は、第１の脱気溝１８４ｂ、通気路２２、および第２の脱気溝１８６ｃから構成されている。
【００４８】
図７および図８に示されるように、第１の脱気溝１８４ｂは、ホルダ１８と赤外線カットフィルタ２０との接触面間で、ホルダ１８の上部１８４の下側内壁面に形成されている。図示の例では、第１の脱気溝１８４ｂは、光軸Ｏに対して前後方向Ｘの後方に形成されている。
【００４９】
図９に示されるように、通気路２２は、ホルダ１８の上部１８４の円筒内面１８４ａとレンズ１６の外周面１６ｃとの間に形成されている。詳述すると、この通気路２２は、レンズ１６のＤカット部１６２を利用して形成されてある。上述したように、このＤカット部１６２は、光軸Ｏに対して前後方向Ｘの前方に形成れている。
【００５０】
したがって、通気路２２と第１の脱気溝１８４ｂとは、レンズ１６の光軸Ｏに関して互いに実質的に１８０度ずれた角度位置に形成されている。
【００５１】
図１０に示されるように、第２の脱気溝１８６ｃは、レンズ１６のレンズ受け面１６ｂとホルダ１８のレンズ取付け面１８６ｂ（遮光部１８６の上側内壁面）との間の接触面で、ホルダ１８の遮光部１８６に形成されている。図６に示されるように、通気路２２と第２の脱気溝１８６ｃとは連通している。
【００５２】
従って、図６および図１１の点線矢印で示されるように、基板１２、撮像素子１４、赤外線カットフィルタ２０、およびホルダ１８の下部１８２によって囲まれた空間は、第１の脱気溝１８４ｂ、レンズ１６と赤外線カットフィルタ２０との間の空間、通気路２２、第２の脱気溝１８４ｃ、および開口１８６ａを介して外部と連通している。
【００５３】
特許文献２に開示された小型カメラモジュールとは異なり、本実施の形態に係るカメラモジュール１０では、通気路２２と第１の脱気溝１８４ｂとは、レンズ１６の光軸Ｏに関して互いに実質的に１８０度ずれた角度位置に形成されている。換言すれば、通気路２２と第１の脱気溝１８４ｂとが、直接的に連通しない構造をしている。そのため、特許文献２に開示されているようなエアフィルタを使用せずとも、粉塵が撮像素子１４の撮像面１４ａに付着するのを防止（回避）することができる。
【００５４】
尚、本実施の形態では、通気路２２と第１の脱気溝１８４ｂとは、レンズ１６の光軸Ｏに関して互いに実質的に１８０度ずれた角度位置に形成されているが、通気路２２と第１の脱気溝１８４ｂとは、レンズ１６の光軸Ｏに関して互いにずれた角度位置に形成されていればよい。
【００５５】
また、本実施の形態において、カメラモジュール１０を構成する部品（ホルダ１８、基板１２、撮像素子１４、レンズ１６、および赤外線カットフィルタ２０）の材料は、リフローに耐えられる耐熱性の高い材料で構成されている。したがって、カメラモジュール１０はリフロー炉を通すことが可能である。換言すれば、カメラモジュール１０はリフローラブルなカメラモジュールである。前述したように、カメラモジュール１０には完全に通気性が確保されているので、リフローによる爆発の懸念はない。
【００５６】
次に、本実施の形態に係るカメラモジュール１０の効果について説明する。
【００５７】
カメラモジュール１０は、通気性を確保する手段（第１の脱気溝１８４ｂ、通気路２２、および第２の脱気溝１８６ｃ）を備えているので、上述したカメラモジュール１０の組立工程内で発生する不具合や、上述した客先での回路基板ボード上へのカメラモジュール１０実装時に発生する不具合を防止することができる。
【００５８】
また、特許文献２に開示された小型カメラモジュールとは異なり、本実施の形態に係るカメラモジュール１０では、通気路２２と第１の脱気溝１８４ｂとを、レンズ１６の光軸Ｏに関して互いにずれた角度位置に形成したので、特許文献２のようなエアフィルタを使用せずとも、粉塵が撮像素子１４の撮像面１４ａに付着するのを防止（回避）することができる。
【００５９】
上述したように、上記ホルダ距離（ホルダ寸法）を精度良く規定することによって、無調整で、レンズ１６の焦点距離を最適な焦点距離に設定することができる。したがって、カメラモジュール１０の製造工程を削減することができる。
【００６０】
上述したように、本実施の形態では、ホルダ１８の複数本の脚部１８８が、基板１２の上面１２ａではなく、撮像素子１４の周囲面１４ｂに当接しているので、前述した特許文献５に開示されているカメラモジュールのような、レンズ１６の最適焦点距離（焦点位置）に、撮像素子１４の撮像面１４ａが合うように、基板とホルダとの間の位置関係を調整する必要がない。また、撮像素子１４を搭載している基板１２が反ったり、捩れたりすることによる不具合も解消される。
【００６１】
また、特許文献３や４に開示されている撮像装置のように、レンズに脚部を設けるのではなく、ホルダ１８に脚部１８８を設けているので、複雑な形状（構造）のレンズを作る必要がない。したがって、レンズ１８の素材は、プラスチック材料に限定されず、ガラス材料であってもよく、安価となる。また、特許文献３や４に開示されて撮像装置のような、レンズを光軸方向に押圧するための弾性部材（弾性手段）も不要であるので、部品点数を削減できる。
【００６２】
以上、本発明についてその好ましい実施の形態によって説明してきたが、本発明の精神を逸脱しない範囲内で、種々の変形が当業者によって可能であるのは明らかである。例えば、上記実施の形態では、ホルダ１８に形成された脚部１８８の本数が４つの場合を例に挙げているが、脚部１８８の本数は複数本であってよい。
【符号の説明】
【００６３】
１０    カメラモジュール
１２    基板
１２ａ    上面
１４    撮像素子
１４ａ    撮像面（光電変換部）
１４ｂ    周囲面
１４ｃ    ワイヤ
１６    レンズ
１６ａ    レンズ部
１６ｂ    レンズ受け面
１６ｃ    外周面
１６２    Ｄカット部
１８    ホルダ
１８２    下部
１８４    上部
１８４ａ    円筒内面
１８４ｂ    第１の脱気溝
１８６    遮光部
１８６ａ    開口
１８６ｂ    レンズ突き当て面
１８６ｃ    第２の脱気溝
１８８    脚部
１８８ａ    先端
２０    赤外線カットフィルタ
２２    通気路
Ｏ    光軸
【図１】
2012083556.tif 000003
【図２】
2012083556.tif 000004
【図３】
2012083556.tif 000005
【図４】
2012083556.tif 000006
【図５】
2012083556.tif 000007
【図６】
2012083556.tif 000008
【図７】
2012083556.tif 000009
【図８】
2012083556.tif 000010
【図９】
2012083556.tif 000011
【図１０】
2012083556.tif 000012
【図１１】
2012083556.tif 000013